【手続補正書】
【提出日】平成21年3月2日(2009.3.2)
【手続補正１】
【補正対象書類名】特許請求の範囲
【補正対象項目名】全文
【補正方法】変更
【補正の内容】
【特許請求の範囲】
【請求項１】
導電性支持体上に、該導電性支持体側から、電荷発生物質を有する電荷発生層と、電荷輸送物質および結着樹脂を有する電荷輸送層と、連鎖重合性官能基を有する化合物を電子線照射によって硬化させることによって得られた樹脂を含有する保護層とを、この順に形成することによって、電子写真感光体を製造する方法において、
膜厚が１０μｍのときの加速電圧８０ｋＶおよび線量４Ｍｒａｄの電子線照射線量に対する電子線遮蔽率が４３％以上である樹脂を、該電荷輸送層の該結着樹脂として用いることを特徴とする電子写真感光体の製造方法。
【請求項２】
前記電子線遮蔽率が４７％以上である請求項１に記載の電子写真感光体の製造方法。
【請求項３】
前記電荷輸送層の前記結着樹脂が、下記一般式（１）で示される構成単位を有するポリカーボネート重合体、又は、下記一般式（１）で示される構成単位を有するポリカーボネート共重合体である請求項１又は２に記載の電子写真感光体の製造方法。
【化１】
2007240951.tif 000001
（式（１）中、Ｒ１〜Ｒ４は、それぞれ独立に、水素原子、置換基を有してもよい炭素数１〜３のアルキル基又は置換基を有してもよいアリール基を示す。ただし、Ｒ１〜Ｒ４の少なくとも１つは置換基を有してもよいアリール基を示す。）
【請求項４】
前記一般式（１）中のＲ１が置換基を有してもよいアリール基であり、Ｒ２〜Ｒ４がそれぞれ独立に水素原子もしくは置換基を有してもよい炭素数１〜３のアルキル基である請求項３に記載の電子写真感光体の製造方法。
【請求項５】
前記一般式（１）中のＲ１が置換基を有してもよいビフェニリル基である請求項４に記載の電子写真感光体の製造方法。
【請求項６】
前記一般式（１）で示される構成単位が、下記一般式（１−１）で示される構成単位である請求項５に記載の電子写真感光体の製造方法。
【化２】
2007240951.tif 000002
【請求項７】
前記一般式（１）中のＲ１が置換基を有してもよい炭素数１〜３のアルキル基であり、Ｒ２が置換基を有してもよい炭素数１〜３のアルキル基又は置換基を有してもよいアリール基であり、Ｒ３及びＲ４が置換基を有してもよいアリール基である請求項３に記載の電子写真感光体の製造方法。
【請求項８】
前記一般式（１）で示される構成単位が、下記一般式（１−２）で示される構成単位である請求項７に記載の電子写真感光体の製造方法。
【化３】
2007240951.tif 000003
【請求項９】
前記電荷輸送層の、膜厚１３μｍのときの加速電圧８０ｋＶおよび線量４Ｍｒａｄの電子線照射線量に対する電子線遮蔽率が、４７％以上である請求項１に記載の電子写真感光体の製造方法。
【請求項１０】
前記電荷輸送層の前記電荷輸送物質が、下記一般式（２）で示される化合物である請求項９に記載の電子写真感光体の製造方法。
【化４】
2007240951.tif 000004
（式（２）中、Ｒ５及びＲ６は、それぞれ独立に、水素原子、置換基を有してもよいアルキル基、置換基を有してもよいアリール基を示す、あるいは、Ｒ５とＲ６が結合して形成される環状の２価の基を示し、Ｒ７〜Ｒ１０は、それぞれ独立に、置換基を有してもよいアリール基を示す。）
【請求項１１】
請求項１〜１０のいずれかに記載の製造方法により製造された電子写真感光体。
【請求項１２】
請求項１１に記載の電子写真感光体と、該電子写真感光体を帯電させる帯電手段、該電子写真感光体に形成された静電潜像をトナーで現像する現像手段及び該電子写真感光体上の転写残りトナーを除去するクリーニング手段からなる群より選ばれる少なくとも１つの手段とを共に一体に支持し、電子写真装置本体に着脱自在であるプロセスカートリッジ。
【請求項１３】
請求項１１に記載の電子写真感光体、該電子写真感光体を帯電させる帯電手段、帯電した該電子写真感光体に対して露光を行って該電子写真感光体に静電潜像を形成する露光手段、該電子写真感光体に形成された静電潜像をトナーで現像する現像手段及び電子写真感光体上のトナー像を転写材上に転写する転写手段を備える電子写真装置。
【手続補正２】
【補正対象書類名】明細書
【補正対象項目名】発明の名称
【補正方法】変更
【補正の内容】
【発明の名称】電子写真感光体の製造方法、電子写真感光体、プロセスカートリッジ及び電子写真装置
【手続補正３】
【補正対象書類名】明細書
【補正対象項目名】０００１
【補正方法】変更
【補正の内容】
【０００１】
本発明は、電子写真感光体の製造方法、電子写真感光体、プロセスカートリッジ及び電子写真装置に関し、詳しくは、特定の結着樹脂を電荷輸送層に含有する電子写真感光体の製造方法、電子写真感光体、該電子写真感光体を有するプロセスカートリッジ及び電子写真装置に関する。
【手続補正４】
【補正対象書類名】明細書
【補正対象項目名】０００７
【補正方法】変更
【補正の内容】
【０００７】
本発明の目的は、上記課題を解決することであり、電子線を照射しても残留電位の上昇や電位安定性の低下が小さく、良好な画像を形成することができる電子写真感光体の製造方法、電子写真感光体、該電子写真感光体を有するプロセスカートリッジ及び電子写真装置を提供することである。
【手続補正５】
【補正対象書類名】明細書
【補正対象項目名】０００８
【補正方法】変更
【補正の内容】
【０００８】
本発明に従って、導電性支持体上に、該導電性支持体側から、電荷発生物質を有する電荷発生層と、電荷輸送物質および結着樹脂を有する電荷輸送層と、連鎖重合性官能基を有する化合物を電子線照射によって硬化させることによって得られた樹脂を含有する保護層とを、この順に形成することによって、電子写真感光体を製造する方法において、
膜厚が１０μｍのときの加速電圧８０ｋＶおよび線量４Ｍｒａｄの電子線照射線量に対する電子線遮蔽率が４３％以上である樹脂を、該電荷輸送層の該結着樹脂として用いることを特徴とする電子写真感光体の製造方法が提供される。
また、本発明に従って、上記製造方法により製造された電子写真感光体が提供される。
【手続補正６】
【補正対象書類名】明細書
【補正対象項目名】００１０
【補正方法】変更
【補正の内容】
【００１０】
本発明によれば、残留電位の上昇や電位安定性の低下を抑え、良好な画像を形成できる電子写真感光体の製造方法、電子写真感光体、該電子写真感光体を有するプロセスカートリッジ及び電子写真装置を提供することが可能となった。
【手続補正７】
【補正対象書類名】明細書
【補正対象項目名】００１８
【補正方法】変更
【補正の内容】
【００１８】
好ましくは、前記一般式（１）で示される構成単位が、Ｒ１は置換基を有してもよいアリール基であり、Ｒ２〜Ｒ４はそれぞれ独立に水素原子もしくは置換基を有してもよい炭素数１〜３のアルキル基で示される構成単位であり、より好ましくは、Ｒ１は置換基を有してもよいビフェニリル基で示される構成単位である。もしくは、Ｒ１は置換基を有してもよい炭素数１〜３のアルキル基であり、Ｒ２は置換基を有してもよい炭素数１〜３のアルキル基又は置換基を有してもよいアリール基であり、Ｒ３及びＲ４は置換基を有してもよいアリール基で示される構成単位が好ましい。詳細は不明だが、本発明者らは、特にビフェニリル基を有する構造が、電子線照射による電子写真感光体特性の劣化を効果的に抑える効果が得られることを実験的に見出している。更に好ましくは、上述した構成単位を単重合させて得られる樹脂である。